(57)【要約】【課題】光ファイバを接続する従来の光接続部品では、光コネクタが未接続の場合、光信号が放射され人体にレーザハザードを与えるという問題点がある。【解決手段】光コネクタが取り外されている際、光導波路部１１０とファイバ保持部１２０間に空間が生じているため結合損失が生じ、光導波路部１１０から出射される光が減衰されアイセーフティが確保されると共に、更にファイバ保持部１２０の斜め研磨されたファイバ保持部の光結合端面１２２により反射戻り光を低減することができる。【選択図】図２
2006003713.tif 000002
【特許請求の範囲】
【請求項１】
光ファイバを接続する光コネクタ部品であって、
前記光コネクタ部品は、
光ファイバと、
前記光ファイバの先端に取付けられたファイバ保持部と、
前記ファイバ保持部の光軸と略一致した方向へ移動可能な光導波路部と、
前記光導波路部の片方の光結合端面と前記ファイバ保持部の光結合端面とが対向するように挿入され前記光導波路部と前記ファイバ保持部とを位置合わせさせる位置決め部と、
前記光導波路部に対し前記位置決め部から前記光導波路部を引き抜く方向へ外力を与える外力発生部を少なくとも備え、
前記光コネクタ部品が未接続状態においては、前記外力発生部から与えられる外力によって、前記光導波路部の光結合端面と前記ファイバ保持部の光結合端面とが非接触である
ことを特徴とする光コネクタ部品。
【請求項２】
光ファイバを接続する光コネクタ部品であって、
前記光コネクタ部品は、
光ファイバと、
前記光ファイバの先端に取付けられ光軸に対し傾斜した光結合端面を持つファイバ保持部と、
前記ファイバ保持部の光軸と略一致した方向へ移動可能で少なくとも一方の端面が光軸に対し傾斜した光結合端面を有する光導波路部と、
前記ファイバ保持部の光軸に対し傾斜した光結合端面と前記光導波路部の光軸に対し傾斜した光結合端面とが対向するように挿入され前記光導波路部と前記ファイバ保持部とを位置合わせさせる位置決め部と、
前記光導波路部に対し前記位置決め部から前記光導波路部を引き抜く方向へ外力を与える外力発生部を備え、
前記光コネクタ部品が未接続状態においては、前記外力発生部から与えられる外力によって、前記ファイバ保持部の光軸に対し傾斜角を有する光結合端面と前記光導波路部の光軸に対し傾斜角を有する光結合端面とが非接触である
ことを特徴とする光コネクタ部品。
【請求項３】
前記外力発生部は、
前記位置決め部が前記光導波路部を固定する力よりも大きい外力を前記光導波路部に与える
ことを特徴とする請求項１、請求項２記載の光コネクタ部品。
【請求項４】
前記光導波路部は、
光結合端面が研磨されている
ことを特徴とする請求項１から請求項３のいずれか１項に記載の光コネクタ部品。
【請求項５】
前記ファイバ保持部は、
光結合端面が研磨されている
ことを特徴とする請求項１から請求項４のいずれか１項に記載の光コネクタ部品。
【請求項６】
前記光コネクタ部品は、
前記位置決め部を内蔵する円筒部と、
位置決め部の移動を制限するストッパー部を有する筐体部を備える
ことを特徴とする請求項１から請求項５のいずれか１項に記載の光コネクタ部品。
【請求項７】
光コネクタが接続される光レセプタクル部品であって、
前記光レセプタクル部品は、
光ファイバと、
前記光ファイバの先端に取付けられたファイバ保持部と、
前記ファイバ保持部の光軸と略一致した方向へ移動可能な光導波路部と、
前記ファイバ保持部の光結合端面と前記光導波路部の片方の光結合端面とが対向するように挿入され前記ファイバ保持部と前記光導波路部とを位置合わせさせる第１の位置決め部と、
前記光導波路部のもう片方の光結合端面と前記光コネクタのファイバ保持部の光結合端面とが対向するように挿入され前記光導波路部と前記光コネクタのファイバ保持部とを位置合わせさせる第２の位置決め部と、
前記光導波路部に対し前記第１の位置決め部から前記光導波路部を引き抜く方向へ外力を与える外力発生部を備え、
前記光コネクタが未接続状態においては、前記外力発生部から与えられる外力によって、前記光導波路部の端面と前記ファイバ保持部の端面とが非接触である
ことを特徴とする光レセプタクル部品。
【請求項８】
光コネクタが接続される光レセプタクル部品であって、
前記光レセプタクル部品は、
光ファイバと、
前記光ファイバの先端に取付けられ光軸に対し傾斜した光結合端面を持つファイバ保持部と、
前記ファイバ保持部の光軸と略一致した方向へ移動可能で少なくとも片端面が光軸に対し傾斜した光結合端面を有する光導波路部と、
前記ファイバ保持部の光軸に対し傾斜した光結合端面と前記光導波路部の光軸に対し傾斜した光結合端面とが対向するように挿入され前記ファイバ保持部と前記光導波路部とを位置合わせさせる第１の位置決め部と、
前記光導波路部のもう片方の光結合端面と前記光コネクタのファイバ保持部の光結合端面とが対向するように挿入され前記光導波路部と前記光コネクタのファイバ保持部とを位置合わせさせる第２の位置決め部と、
前記光導波路部に対し前記第１の位置決め部から前記光導波路部を引き抜く方向へ外力を与える外力発生部を備え、
前記光コネクタが未接続状態においては、前記外力発生部から与えられる外力によって、前記光導波路部の光軸に対し傾斜した光結合端面と前記ファイバ保持部の光軸に対し傾斜した光結合端面とが非接触である
ことを特徴とする光レセプタクル部品。
【請求項９】
前記外力発生部は、
前記第１の位置決め部が前記光導波路部を固定する力および前記第２の位置決め部が前記光導波路部を固定する力よりも大きい外力を前記光導波路部に与える
ことを特徴とする請求項７、請求項８記載の光レセプタクル部品。
【請求項１０】
前記光導波路部は、
光結合端面が研磨されている
ことを特徴とする請求項７、請求項８および請求項９記載の光レセプタクル部品。
【請求項１１】
前記ファイバ保持部は、
光結合端面が研磨されている
ことを特徴とする請求項７から請求項１０のいずれか１項に記載の光レセプタクル部品。
【請求項１２】
前記光レセプタクル部品は、
前記第１の位置決め部を内蔵する第１の円筒部と、
前記第２の位置決め部を内蔵する第２の円筒部と、
第１の位置決め部の移動を制限するストッパー部と、
前記光コネクタの一部と契合する一対の鉤状突起部を有する筐体部を備える
ことを特徴とする請求項７から請求項１１のいずれか１項に記載の光レセプタクル部品。
【発明の詳細な説明】
【技術分野】
【０００１】
本発明は、光ファイバ通信に用いられる光接続部品に係り、特に、光コネクタが開放された際に、光ファイバ中を伝送している光が不用意に放出されて人体に対するレーザハザードを与えるのを防ぐアイセーフ型光接続部品に関するものである。
【背景技術】
【０００２】
半導体レーザやＬＥＤなどを光源とする光送信装置等から出力された光を、ガラスファイバやプラスチックファイバといった光ファイバを用いて伝送する光通信分野では、光ファイバ同士を接続する方法として、光コネクタや光コネクタが接続される光レセプタクル、光コネクタ同士を嵌合し接続させる光アダプタ等といった光接続部品が用いられている。光接続部品としては、種々の構造のものが公知であり、その一部が標準化され、用途により最適なものが選択適用されている。標準化されている光コネクタには、ＳＣ型光コネクタと呼ばれるものがあり、ワンタッチ式で容易に着脱可能であるため、現在広く普及しているタイプの１つである。ただし、着脱が容易であるが故に、誤って光コネクタが外れた場合のレーザハザード対策が必要であった。従来、この対策の一つとして、光コネクタから放出された光を直視しないよう、光軸を極力下向きに傾斜させて筐体や壁などに取り付けるアイセーフティ型光接続部品がある。図５に、その光接続部品の一例を示す。
【０００３】
図５において、光コネクタは、光ファイバ３１０と、段付き部３２１を有し光ファイバ３１０を保持するファイバ保持部３２０と、ファイバ保持部３２０に外力を与える外力発生部３３０と、ハウジング部３４０を備え、光アダプタは、位置決め部３５０と、位置決め部３５０を囲み光コネクタのハウジングの一部と契合する一対の鉤状突起部３６１を有する筐体部３６０を備え、光コネクタの光軸が可能な限り下方向へ傾斜するように光アダプタが筐体に固定されている。
【０００４】
なお、光軸を下方向へ傾斜させるように光アダプタが設置される従来方法としては、例えば、特許文献１に記載された情報コンセント等が挙げられる。
【特許文献１】特開２００３−２４４８１６号公報
【発明の開示】
【発明が解決しようとする課題】
【０００５】
しかしながら、このように光アダプタの光軸を下方向へ極力傾斜したとしても、光コネクタの光結合端面からは光信号が放出されているため、完全にレーザハザードを避けることは出来ず、不用意に放出された光が人体に対し影響を与えるという課題を有している。
【０００６】
また、例えば、光ファイバ伝送路中にＡＷＧといった光分岐器などを用いて光信号を分岐し伝送するシステム中では、分岐後の光伝送路中に設置された光コネクタを開放状態にした場合、光接続部品の光出射端面で反射が生じ、その反射戻り光が光ファイバ中を伝送し、他の分岐された光信号に雑音を与えてしまうという課題も有している。
【０００７】
本発明は、前記従来の課題を解決するもので、光ファイバ伝送に用いられる光接続部品に関し、特に、光接続部品が未接続の際に、光接続部品より光が放出され人体へのレーザハザードを与えるのを防ぐと共に、光接続部品によって生じる光伝送路への反射戻り光を低減することが可能な光接続部品の実現を目的とする。
【課題を解決するための手段】
【０００８】
第１の発明は、光ファイバを接続する光コネクタ部品であって、光コネクタ部品は、光ファイバと、光ファイバの先端に取付けられたファイバ保持部と、ファイバ保持部の光軸と略一致した方向に移動可能な光導波路部と、光導波路部の片方の光結合端面とファイバ保持部の光結合端面とが対向するように挿入され光導波路部とファイバ保持部とを位置合わせさせる位置決め部と、光導波路部に対し位置決め部から光導波路部を引き抜く方向へ外力を与える外力発生部を少なくとも備え、光コネクタ部品が未接続状態においては、外力発生部から与えられる外力によって、光導波路部の端面とファイバ保持部の端面とが非接触である。
【０００９】
第２の発明は、光ファイバを接続する光コネクタ部品であって、光コネクタ部品は、光ファイバと光ファイバの先端に取付けられ光軸に対し傾斜した光結合端面を持つファイバ保持部と、ファイバ保持部の光軸と略一致した方向に移動可能で少なくとも一方の端面が光軸に対し傾斜した光結合端面を有する光導波路部と、ファイバ保持部の光軸に対し傾斜した光結合端面と光導波路部の光軸に対し傾斜した光結合端面とが対向するように挿入され光導波路部とファイバ保持部とを位置合わせさせる位置決め部と、光導波路部に対し位置決め部から光導波路部を引き抜く方向へ外力を与える外力発生部を備え、光コネクタ部品が未接続状態においては、外力発生部から与えられる外力によって、ファイバ保持部の光軸に対し傾斜角を有する光結合端面と光導波路部の光軸に対し傾斜角を有する光結合端面とが非接触である。
【００１０】
第３の発明は、前記第１、及び前記第２の発明の光コネクタ部品において、外力発生部は、位置決め部が光導波路部を固定する力よりも大きい外力を光導波路部に与える。
【００１１】
第４の発明は、前記第１、前記第２および前記第３の発明の光コネクタ部品において、光導波路部は、光結合端面が研磨されている。
【００１２】
第５の発明は、前記第１、前記第２、前記第３および前記第４の発明の光コネクタ部品において、前記ファイバ保持部は、光結合端面が研磨されている。
【００１３】
第６の発明は、前記第１、前記第２、前記第３、前記第４および前記第５の発明の光コネクタ部品において、光コネクタ部品は、位置決め部を内蔵する円筒部と、位置決め部の移動を制限するストッパー部を有する筐体を備える。
【００１４】
第７の発明は、光コネクタが接続される光レセプタクル部品であって、光レセプタクル部品は、光ファイバと、光ファイバの先端に取付けられたファイバ保持部と、ファイバ保持部の光軸と略一致した方向に移動可能な光導波路部と、ファイバ保持部の光結合端面と光導波路部の片方の光結合端面とが対向するように挿入されファイバ保持部と光導波路部とを位置合わせさせる第１の位置決め部と、光導波路部のもう片方の光結合端面と光コネクタのファイバ保持部の光結合端面とが対向するように挿入され光導波路部と光コネクタのファイバ保持部とを位置合わせさせる第２の位置決め部と、光導波路部に対し第１の位置決め部から光導波路部を引き抜く方向へ外力を与える外力発生部を備え、光コネクタが未接続状態においては、外力発生部から与えられる外力によって、光導波路部の端面とファイバ保持部の端面とが非接触である。
【００１５】
第８の発明は、光コネクタが接続される光レセプタクル部品であって、光レセプタクル部品は、光ファイバと光ファイバの先端に取付けられ端面が光軸に対し傾斜した光結合端面を持つファイバ保持部と、ファイバ保持部の光軸と略一致した方向に移動可能で少なくとも片端面が光軸に対し傾斜角した光結合端面を有する光導波路部と、ファイバ保持部の光軸に対し傾斜した光結合端面と光導波路部の光軸に対し傾斜した光結合端面とが対向するように挿入されファイバ保持部と光導波路部とを位置合わせさせる第１の位置決め部と、光導波路部のもう片方の光結合端面と光コネクタのファイバ保持部の光結合端面とが対向するように挿入され光導波路部と光コネクタのファイバ保持部とを位置合わせさせる第２の位置決め部と、光導波路部に対し第１の位置決め部から光導波路部を引き抜く方向へ外力を与える外力発生部を備え、光コネクタが未接続状態においては、外力発生部から与えられる外力によって、光導波路部の光軸に対し傾斜した光結合端面とファイバ保持部の光軸に対し傾斜した光結合端面とが非接触である。
【００１６】
第９の発明は、前記第７、及び前記第８の発明の光レセプタクル部品において、外力発生部は、第１の位置決め部が光導波路部を固定する力および第２の位置決め部が光導波路部を固定する力よりも大きい外力を光導波路部に与える。
【００１７】
第１０の発明は、前記第７、前記第８および前記第９の発明の光レセプタクル部品において、光導波路部は、光結合端面が研磨されている。
【００１８】
第１１の発明は、前記第７、前記第８および前記第９の発明の光レセプタクル部品において、ファイバ保持部は、光結合端面が研磨されている。
【００１９】
第１２の発明は、前記第７、前記第８、前記第９、前記第１０および前記第１１の発明の光レセプタクル部品において、光レセプタクル部品は、第１の位置決め部を内蔵する第１の円筒部と、第２の位置決め部を内蔵する第２の円筒部と、第１の位置決め部の移動を制限するストッパー部と、光コネクタの一部と契合する一対の鉤状突起部を有する筐体を備える。
【発明の効果】
【００２０】
光ファイバ伝送中に用いられる光コネクタや光レセプタクルといった光接続部品に関し、特に、光接続部品が未接続の際に、光接続部品より光が不用意に放出され人体に対しレーザハザードを与えることを防ぐと共に、光接続部品から光ファイバ伝送路への反射戻り光を低減することが可能な光接続部品を実現できる。
【発明を実施するための最良の形態】
【００２１】
（実施の形態１）
図１は、本発明の実施の形態１における光コネクタの断面図である。
【００２２】
図１において、１１０は光導波路部、１１１および１１２は光導波路部１１０の光結合端面、１１３は光導波路部の一部である段付き部、１２０はファイバ保持部、１２１はファイバ保持部１２０の光結合端面、１３０は光ファイバ、１４０は位置決め部、１５０は外力発生部、１６０は筐体部、１６１は筐体部１６０の一部である円筒部、１６２は筐体部１６０の一部であるストッパー部である。
【００２３】
以下、図１を用いて、本発明の実施の形態１における光コネクタの動作を説明する。図１において、光導波路部１１０は、段付き部１１３と研磨された光結合端面１１１と１１２を有しており、ファイバ保持部１２０は、内部に光ファイバ１３０を保持し、研磨された光結合端面１２１を有している。なお、光導波路部１１０の光結合端面１１１と１１２、およびファイバ保持部１２０の光結合端面１２１の研磨は、垂直研磨、球面研磨いずれでも構わない。
【００２４】
光導波路部１１０とファイバ保持部１２０とは、光導波路部１１０の光結合端面１１２とファイバ保持部１２０の光結合端面１２１が対向するように、位置決め部１４０に挿入され、光導波路部１１０の光軸とファイバ保持部１２０の光軸とが略一致するように位置決めされる。
【００２５】
外力発生部１５０は、光導波路部１１０に対し、段付き部１１３を介して位置決め部１４０から光導波路部１１０を引き抜く方向へ外力を与える。なお、外力発生部１５０としては、押しバネや引きバネ、板バネなどを用いてもよい。なお、外力発生部１５０が、光導波路部１１０に対し外力を与える箇所としては段付き部１１３に限定するものではなく、その外力印加方法は適宜でよい。
【００２６】
筐体部１６０は、位置決め部１４０を取り囲む円筒部１６１と、ストッパー部１６２を有しており、ストッパー部１６２は、段付き部１１３と接触すること光導波路部１１０の光軸方向への移動を制限する。
【００２７】
ここで、図１は、光コネクタがレセプタクルやアダプタに未接続の状態も示している。図１において、外力発生部１５０は、光導波路部１１０に対し、位置決め部１４０から光導波路部１１０を引き抜く方向へ、位置決め部１４０が光導波路部１１０を固定する力よりも大きい外力を加える為、光導波路部１１０の光結合端面１１２とファイバ保持部１２０の光結合端面１２１との間に空間が生じる。この空間が生じることにより、光ファイバ１３０から伝送さる光信号は、光結合端面１２１から放出され、その一部が光結合端面１１２へ入射するため、光ファイバ１３０を伝送されている状態に比べ減衰されている。そのため、光コネクタが未接続の場合においても、光導波路部１１０の光結合端面１１１から放出される光によるレーザハザードを避けることが可能となる。
【００２８】
（実施の形態２）
図２は、本発明の実施の形態２における光コネクタの断面図である。
【００２９】
ここで、図１で説明した本発明の実施の形態１における光コネクタと同じ構成部材に対応し実質的に同等の機能を有するものには同一の符号を付してこれを示している。
【００３０】
図２において、光導波路部１１０は、光軸に対して傾斜角を有するように研磨された光結合端面１１４を有し、ファイバ保持部１２０は光軸に対して傾斜角を有するように研磨された光結合端面１２２を有している。
【００３１】
ここで、光コネクタが光レセプタクルや光アダプタに未接続の状態においては、ファイバ保持部１２０の光結合端面１２２が光軸に対して斜めに研磨されていると、光ファイバ１３０から伝送された光信号は、光結合端面１２２で、空気と光ファイバの材料の屈折率差により反射を起こすが、反射された光信号の大部分は、光軸とは異なる方向へ散乱するため光ファイバ１３０への反射戻り光が低減できる。
【００３２】
以上のように、本発明の実施の形態２における光コネクタは、実施の形態１で説明した光コネクタと同様、光コネクタがレセプタクルやアダプタに未接続の状態で、光導波路部１１０の光結合端面１１１から放出される光によるレーザハザードを避けることが可能となることに加え、光ファイバ１３０から伝送された光信号の一部がファイバ保持部１２０の光結合端面１２２で反射し再び光ファイバ１３０へ戻る光量を低減することが可能である。
【００３３】
（実施の形態３）
図３は、本発明の実施の形態３における光レセプタクルの断面図である。
【００３４】
図３において、２１０は光導波路部、２１１および２１２は光導波路部２１０の光結合端面、２１３は光導波路部２１０の一部である段付き部、２２０はファイバ保持部、２２１はファイバ保持部２２０の光結合端面、２３０は光ファイバ、２４０は第１の位置決め部、２４１は第２の位置決め部、２５０は外力発生部、２６０は筐体部、２６１と２６３は筐体部２６０の一部である円筒部、２６２は筐体部２６０の一部であるストッパー部、２６４は筐体部２６０の一部である一対の鉤状突起部である。また、２７２は本発明の実施の形態３における光レセプタクルに接続される光コネクタ、２７０は光コネクタ２７２のファイバ保持部、２７１はファイバ保持部２７０の光結合端面である。
【００３５】
以下、図３を用いて、本発明の実施の形態３における光レセプタクルの動作を説明する。図３において、光導波路部２１０は、段付き部２１３と研磨された光結合端面２１１と２１２を有しており、ファイバ保持部２２０は、内部に光ファイバ２３０を保持し、研磨された光結合端面２２１を有している。なお、光導波路部２１０の光結合端面２１１と２１２、およびファイバ保持部２２０の光結合端面２２１の端面研磨は、垂直研磨、球面研磨いずれでも構わない。
【００３６】
光導波路部２１０とファイバ保持部２２０とは、光導波路部２１０の光結合端面２１２とファイバ保持部２２０の光結合端面２２１が対向するように、第１の位置決め部２４０に挿入され、光導波路部２１０の光軸とファイバ保持部２２０の光軸とが略一致するように位置決めされる。
【００３７】
また、光導波路部２１０と光コネクタ２７２のファイバ保持部２７０とは、光導波路部２１０の光結合端面２１１と光コネクタ２７２のファイバ保持部２７０の光結合端面２７１が対向するように、第２の位置決め部２４１に挿入され、光導波路部２１０の光軸と光コネクタ２７２のファイバ保持部２７０の光軸とが略一致するように位置決めされる。
【００３８】
外力発生部２５０は、光導波路部２１０に対し、段付き部２１３を介して第１の位置決め部２４０から光導波路部２１０を引き抜く方向へ外力を与える。なお、外力発生部２５０としては、押しバネや引きバネ、板バネなどを用いてもよい。なお、外力発生部２５０が、光導波路部２１０に対し外力を与える箇所としては段付き部２１３に限定するものではなく、その外力印加方法は適宜でよい。
【００３９】
筐体部２６０は、第１の位置決め部２４０を取り囲む円筒部２６１と、第２の位置決め部２４１を取り囲む円筒部２６３と、ストッパー部２６２を有しており、ストッパー部２６２は、段付き部２１３と接触することで光導波路部２１０の光軸方向への移動を制限する。
【００４０】
ここで、図３は、光レセプタクルに光コネクタが未接続の状態も示している。図３において、外力発生部２５０は、光導波路部２１０に対し、第１の位置決め部２４０から光導波路部２１０を引き抜く方向へ、第１の位置決め部２４０が光導波路部２１０を固定する力および第２の位置決め部２４１が、光導波路部２１０を固定する力、両方の力よりも大きい外力を加える為、光導波路部２１０の光結合端面２１２とファイバ保持部２２０の光結合端面２２１との間に空間が生じる。この空間が生じることにより、光ファイバ２３０から伝送される光信号は、ファイバ保持部２２０の光結合端面２２１から放出され、その一部が光導波路部２１０の光結合端面２１２へ入射するため、光導波路部２１０の光結合端面２１１から放出される光信号は、光ファイバ２３０を伝送されている場合に比べ減衰されている。そのため、光コネクタが未接続の場合においても、光導波路部２１０の光結合端面２１１からの光信号によるレーザハザードを避けることが可能となる。
【００４１】
（実施の形態４）
図４は、本発明の実施の形態４における光レセプタクルの断面図である。
【００４２】
ここで、図３で説明した本発明の実施の形態３における光コネクタと同じ構成部材に対応し実質的に同等の機能を有するものには同一の符号を付してこれを示している。
【００４３】
図４において、光導波路部２１０は、光軸に対して傾斜角を有するように研磨された光結合端面２１４を有し、ファイバ保持部２２０は光軸に対して傾斜角を有するように研磨された光結合端面２２２を有している。
【００４４】
ここで、光レセプタクルに光コネクタが未接続の状態において、ファイバ保持部２２０の光結合端面２２２が光軸に対して斜めに研磨されていると、光ファイバ２３０から伝送された光信号は、ファイバ保持部２２０の光結合端面２２２で、空気と光ファイバの材料の屈折率差により反射を起こすが、反射された光信号の大部分は、光軸とは異なる方向へ散乱するため光ファイバ２３０への反射戻り光を低減できる。
【００４５】
以上のように、本発明の実施の形態４における光レセプタクルは、実施の形態３で説明した光レセプタクルと同様、光レセプタクルに光コネクタが未接続の状態で、光導波路部２１０の光結合端面２１１から放射された光によるレーザハザードを避けることが可能となることに加え、光ファイバ２３０から伝送された光信号の一部がファイバ保持部２２０の光結合端面２２２で反射し再び光ファイバ２３０へ戻る光量を低減することが可能である。
【産業上の利用可能性】
【００４６】
本発明にかかる光接続部品は、人体へのレーザハザードを防ぐと共に光伝送路への反射戻り光を低減するという効果を有し、光通信に用いられる光ファイバなどを接続する部品として有用である。
【図面の簡単な説明】
【００４７】
【図１】本発明の実施形態１における光コネクタの断面模式図
【図２】本発明の実施形態２における光コネクタの断面模式図
【図３】本発明の実施形態３における光レセプタクルの断面模式図
【図４】本発明の実施形態４における光レセプタクルの断面模式図
【図５】アイセーフティを考慮した従来の光接続部品の断面模式図
【符号の説明】
【００４８】
１１０    光導波路部
１１１，１１２，１１４    光導波路部１１０の光結合端面
１１３    段付き部
１２０    ファイバ保持部
１２１，１２２    ファイバ保持部１２０の光結合端面
１３０    光ファイバ
１４０    位置決め部
１５０    外力発生部
１６０，１６１    円筒部
１６２    ストッパー部
２１０    光導波路部
２１１，２１２，２１４    光導波路部２１０の光結合端面
２１３    段付き部
２２０    ファイバ保持部
２２１，２２２    ファイバ保持部２２０の光結合端面
２３０    光ファイバ
２４０    第１の位置決め部
２４１    第２の位置決め部
２５０    外力発生部
２６０    筐体部
２６１，２６３    円筒部
２６２    ストッパー部
２６４    鉤状突起部
２７０    光コネクタ２７２のファイバ保持部
２７１    ファイバ保持部２７０の光結合端面
２７２    光コネクタ
【図１】
2006003713.tif 000003
【図２】
2006003713.tif 000004
【図３】
2006003713.tif 000005
【図４】
2006003713.tif 000006
【図５】
2006003713.tif 000007